(57)【要約】【課題】  使用者に対して視聴を許可するチャンネルを登録したチャンネルテーブルが簡単に作成できるようにすることで、使用者の操作性の向上を図るとともに利便性を向上させた受信装置を提供する。【解決手段】  使用者はチャンネルレコード１１を新規に作成するとき、グルーピング条件を入力することにより、所望のチャンネルが殆ど設定されたチャンネルレコード１１を得ることができ、追加、削除するチャンネルの総数を減少できる。これにより、チャンネルレコード１１が簡単に作成でき、使用者の操作性の向上が図れる。【選択図】  図１
2006013934.tif 000002
【特許請求の範囲】
【請求項１】
視聴を許可するチャンネルを設定したチャンネルレコードをモード毎に登録したチャンネルテーブルを記憶するテーブル記憶手段と、
前記チャンネルテーブルに前記チャンネルレコードが登録されている、いずれかのモードを選択するモード選択手段と、
チャンネルの切替にかかる入力があったとき、前記モード選択手段により選択されているモードのチャンネルレコードに基づいて、選局するチャンネルを決定するチャンネル決定手段と、
前記チャンネル決定手段が決定したチャンネルの放送信号を、受信している放送信号から抽出して出力する選局手段と、を備えた受信装置において、
前記チャンネルテーブルに登録する前記チャンネルレコードを作成するチャンネルレコード作成手段と、
複数のグルーピング条件毎に、前記チャンネルレコードに設定するチャンネルを対応づけて記憶したグルーピングチャンネル記憶手段と、
前記チャンネルテーブルに登録されているチャンネルレコード毎にパスワードを記憶するパスワード記憶手段と、を備え、
前記チャンネルレコード作成手段は、いずれかのグルーピング条件の選択を受け付け、ここで受け付けたグルーピング条件に対応づけられているチャンネルを設定したチャンネルレコードを作成し、ここで作成したチャンネルレコードに対してチャンネルの追加、削除を受け付け、
前記チャンネルレコードには、チャンネルのアップダウンにかかる入力に対して、選局するチャンネルの昇順／降順を示すチャンネルアップダウン情報が含まれており、
前記チャンネルレコード作成手段は、前記チャンネルレコードにおける前記チャンネルアップダウン情報を更新する更新機能を有するとともに、チャンネルレコードの更新にかかる処理を実行するとき、前記パスワードの入力を要求し、入力されたパスワードが適正であれば、チャンネルレコードの更新にかかる処理を実行し、
さらに、前記モード選択手段は、モードの変更にかかる入力を受け付けるときに、前記パスワードの入力を要求し、入力されたパスワードが適正であれば、選択しているモードを今回入力されたモードに切り替える受信装置。
【請求項２】
視聴を許可するチャンネルを設定したチャンネルレコードをモード毎に登録したチャンネルテーブルを記憶するテーブル記憶手段と、
前記チャンネルテーブルに前記チャンネルレコードが登録されている、いずれかのモードを選択するモード選択手段と、
チャンネルの切替にかかる入力があったとき、前記モード選択手段により選択されているモードのチャンネルレコードに基づいて、選局するチャンネルを決定するチャンネル決定手段と、
前記チャンネル決定手段が決定したチャンネルの放送信号を、受信している放送信号から抽出して出力する選局手段と、を備えた受信装置において、
前記チャンネルテーブルに登録する前記チャンネルレコードを作成するチャンネルレコード作成手段と、
複数のグルーピング条件毎に、前記チャンネルレコードに設定するチャンネルを対応づけて記憶したグルーピングチャンネル記憶手段と、を備え、
前記チャンネルレコード作成手段は、いずれかのグルーピング条件の選択を受け付け、ここで受け付けたグルーピング条件に対応づけられているチャンネルを設定したチャンネルレコードを作成し、ここで作成したチャンネルレコードに対してチャンネルの追加、削除を受け付ける受信装置。
【請求項３】
前記チャンネルレコードには、チャンネルのアップダウンにかかる入力に対して、選局するチャンネルの昇順／降順を示すチャンネルアップダウン情報が含まれており、
前記チャンネルレコード作成手段は、前記チャンネルレコードにおける前記チャンネルアップダウン情報を更新する更新機能を有する請求項２に記載の受信装置。
【請求項４】
前記チャンネルテーブルに登録されているチャンネルレコード毎にパスワードを記憶するパスワード記憶手段を備え、
前記チャンネルレコード作成手段は、チャンネルレコードの更新にかかる処理を実行するとき、前記パスワードの入力を要求し、入力されたパスワードが適正であれば、チャンネルレコードの更新にかかる処理を実行する請求項２または３に記載の受信装置。
【請求項５】
前記モード選択手段は、モードの変更にかかる入力を受け付けるときに、前記パスワードの入力を要求し、入力されたパスワードが適正であれば、選択しているモードを今回入力されたモードに切り替える請求項４に記載の受信装置。
【発明の詳細な説明】
【技術分野】
【０００１】
この発明は、テレビ等の放送信号から選局されているチャンネルの放送信号を抽出し、出力する受信装置に関する。
【背景技術】
【０００２】
従来、テレビ等の放送信号から選局されているチャンネルの放送信号を抽出し、出力する受信装置が一般に普及している。この種の受信装置には、テレビ受像機に内蔵されているものもあれば、表示装置（テレビ受像機を含む）に外付けされるセットトップボックス（ＳＴＢ）等がある。
【０００３】
また、従来の受信装置には、視聴できるチャンネルを使用者毎に登録できるように構成することで、各使用者の利便性の向上を図ったものがある。例えば、特許文献１には、使用者毎に視聴できるチャンネルを予め登録しておき、装置側で使用者を識別し、ここで識別した使用者について登録されているチャンネルのみ視聴を許可することが記載されている。この装置では、子供に見せたくない番組を視聴できないように設定したり、個人的な趣味の番組はその人だけが視聴できるように設定することができる。
【０００４】
また、特許文献２には、使用者毎、や時間帯別にチャンネルをグルーピングしておき、いずれかのグループが選択されたときに、選択されたグループにグルーピングされているチャンネルの番組表等を表示し、使用者におけるチャンネルの選局にかかる利便性を向上させた受信装置が記載されている。
【特許文献１】特開２０００−９９２３０号公報
【特許文献２】特開平１０−２９４９０４号公報
【発明の開示】
【発明が解決しようとする課題】
【０００５】
しかしながら、従来の受信装置は、使用者に対して番組が放送されているチャンネル（以下、同期チャンネルと言う。）が全て登録されたチャンネルレコードにおいて、その使用者に視聴させないチャンネルを削除することで、その使用者について視聴を許可するチャンネルを登録したチャンネルレコードを作成する構成であった。このため、例えば、ＶＨＦのチャンネルについては視聴を許可するが、ＵＨＦのチャンネルについては視聴を許可しない使用者に対するチャンネルレコードを作成する場合や、反対にＶＨＦのチャンネルについては視聴を許可しないが、ＵＨＦのチャンネルについては視聴を許可する使用者に対するチャンネルレコードを作成する場合に、削除するチャンネルが多く、チャンネルレコードの作成が煩雑であり、操作性がよくないという問題があった。また、何も登録されていないチャンネルレコードに視聴を許可するチャンネルを登録して、チャンネルレコードを作成する構成のものもあるが、この構成では反対に登録するチャンネルが多く、同様にチャンネルレコードの作成が煩雑であり、操作性がよくないという問題があった。
【０００６】
また、チャンネルレコードの作成が煩雑であることから、視聴を許可しないチャンネルの削除漏れや、視聴を許可するチャンネルの登録漏れ等が起こりやすく、使用者の利便性を低下させていた。
【０００７】
さらに、従来の受信装置は、チャンネルのアップダウンにおいて、選局されるチャンネルの昇順／降順が予め定められており、視聴が許可されていないチャンネルについてはスキップさせているだけであった。このため、使用者はチャンネルのアップダウンによる選局で、自分の好みにあった順番にチャンネルを切り替えることができず、この点についても使用者の利便性がよくなかった。
【０００８】
この発明の目的は、使用者に対して視聴を許可するチャンネルを設定したチャンネルレコードが簡単に作成できるようにすることで、使用者の操作性の向上を図るとともに利便性を向上させた受信装置を提供することにある。
【０００９】
また、この発明は、チャンネルのアップダウンによる選局で、使用者が自分の好みにあった順番にチャンネルを切り替えることができ、使用者の利便性の向上を図った受信装置を提供することを目的とする。
【課題を解決するための手段】
【００１０】
この発明の受信装置は、上記課題を解決するために、以下の構成を備えている。
【００１１】
（１）視聴を許可するチャンネルを設定したチャンネルレコードをモード毎に登録したチャンネルテーブルを記憶するテーブル記憶手段と、
前記チャンネルテーブルに前記チャンネルレコードが登録されている、いずれかのモードを選択するモード選択手段と、
チャンネルの切替にかかる入力があったとき、前記モード選択手段により選択されているモードのチャンネルレコードに基づいて、選局するチャンネルを決定するチャンネル決定手段と、
前記チャンネル決定手段が決定したチャンネルの放送信号を、受信している放送信号から抽出して出力する選局手段と、を備えた受信装置において、
前記チャンネルテーブルに登録する前記チャンネルレコードを作成するチャンネルレコード作成手段と、
複数のグルーピング条件毎に、前記チャンネルレコードに設定するチャンネルを対応づけて記憶したグルーピングチャンネル記憶手段と、を備え、
前記チャンネルレコード作成手段は、いずれかのグルーピング条件の選択を受け付け、ここで受け付けたグルーピング条件に対応づけられているチャンネルを設定したチャンネルレコードを作成し、ここで作成したチャンネルレコードに対してチャンネルの追加、削除を受け付ける。
【００１２】
この構成では、グルーピングチャンネル記憶手段が、グルーピング条件毎に、前記チャンネルレコードに設定するチャンネルを対応づけて記憶している。グルーピング条件は、例えば、
１．同期していないチャンネルを含めた全てのチャンネル、
２．同期している全てのチャンネル、
３．同期していないチャンネルを含めたＶＨＦのチャンネル、
４．同期しているＶＨＦのチャンネル、
５．同期していないチャンネルを含めたＵＨＦのチャンネル、
６．同期しているＵＨＦのチャンネル
である。
【００１３】
チャンネルレコード作成手段は、いずれかのグルーピング条件の選択を受け付け、ここで受け付けたグルーピング条件に対応づけられているチャンネルを設定したチャンネルレコードを作成し、ここで作成したチャンネルレコードに対してチャンネルの追加削除を受け付ける。したがって、チャンネルレコードを作成するとき、作成するチャンネルレコードに応じて、グルーピング条件を選択することで、追加、削除するチャンネルの総数を減少できる。これにより、チャンネルレコードが簡単に作成でき、使用者の操作性の向上が図れる。作成されたチャンネルレコードは、モードを対応づけてチャンネルテーブルに登録できる。
【００１４】
なお、ここで言うモードは、使用者で区別した使用者モードとしてもよいし、使用する曜日や時間帯で区別したモードであってもよい。
【００１５】
（２）前記チャンネルレコードには、チャンネルのアップダウンにかかる入力に対して、選局するチャンネルの昇順／降順を示すチャンネルアップダウン情報が含まれており、
前記チャンネルレコード作成手段は、前記チャンネルレコードにおける前記チャンネルアップダウン情報を更新する更新機能を有する。
【００１６】
この構成では、チャンネルのアップダウンにかかる入力に対して、選局するチャンネルの昇順／降順を示すチャンネルアップダウン情報の更新も行えるので、チャンネルのアップダウンによる選局で、使用者が自分の好みにあった順番にチャンネルを切り替えることができ、使用者の利便性の向上が図れる。
【００１７】
（３）前記チャンネルテーブルに登録されているチャンネルレコード毎にパスワードを記憶するパスワード記憶手段を備え、
前記チャンネルレコード作成手段は、チャンネルレコードの更新にかかる処理を実行するとき、前記パスワードの入力を要求し、入力されたパスワードが適正であれば、チャンネルレコードの更新にかかる処理を実行する。
【００１８】
この構成では、パスワードを知らない他人によって、勝手にチャンネルレコードが更新されることがない。
【００１９】
（４）前記モード選択手段は、モードの変更にかかる入力を受け付けるときに、前記パスワードの入力を要求し、入力されたパスワードが適正であれば、選択しているモードを今回入力されたモードに切り替える。
【００２０】
この構成では、パスワードを知らない他人に、勝手にチャンネルレコードが勝手に使用されることがない。
【発明の効果】
【００２１】
この発明によれば、チャンネルレコードを作成するとき、作成するチャンネルレコードに応じて、グルーピング条件を選択することで、追加、削除するチャンネルの総数を減少できる。これにより、チャンネルレコードが簡単に作成でき、使用者の操作性の向上が図れる。
【００２２】
また、チャンネルのアップダウンにかかる入力に対して、選局するチャンネルの昇順／降順を示すチャンネルアップダウン情報の更新も行えるので、チャンネルのアップダウンによる選局で、使用者が自分の好みにあった順番にチャンネルを切り替えることができ、使用者の利便性の向上が図れる。
【発明を実施するための最良の形態】
【００２３】
以下、この発明の実施形態である受信装置について説明する。
【００２４】
図１は、この発明の実施形態である受信装置の構成を示すブロック図である。この実施形態の受信装置１は、本体の動作を制御する制御部２と、図示していないアンテナで受信したテレビ放送信号から選局されているチャンネルの放送信号を抽出して出力する受信部３と、受信部３から出力されたチャンネルの放送信号を処理して音声信号および映像信号を生成する信号処理部４と、信号処理部４で生成された音声信号および映像信号を出力する出力部５と、使用者毎に視聴を許可するチャンネルを設定したチャンネルレコードを登録したチャンネルテーブルを記憶するテーブル記憶部６と、グルーピング条件毎に、チャンネルレコードに登録するチャンネルを記憶したグルーピングチャンネル記憶部７と、装置本体に対する入力を受け付ける入力部８とを備えている。制御部２は、受信部３に対して、選局するチャンネルを指示する。受信部３は、制御部２から指示されたチャンネルの放送信号を抽出し、出力する。信号処理部４は、例えばＮＴＳＣ方式の信号を処理して音声信号および映像信号生成する。出力部５には、図示していないテレビ受像機等の表示装置が接続され、この表示装置において出力部５から出力された音声信号に基づく音声の出力や、映像信号に基づく映像の表示が行われる。
【００２５】
図２は、テーブル記憶部に記憶しているチャンネルテーブルを示す図である。チャンネルテーブル１０には、使用者毎に視聴を許可するチャンネルを設定したチャンネルレコード１１が登録されている。また、各チャンネルレコード１１にはパスワードが対応づけられている。このテーブル記憶部６が、この発明で言うテーブル記憶手段およびパスワード記憶手段に相当する。また、チャンネルレコード１１にはチャンネルのアップ／ダウンにかかる入力に対して、選局するチャンネルの昇順／降順を示す情報が含まれている。具体的には、チャンネルレコード１１に設定されているチャンネルの順番がチャンネルのアップ／ダウンにかかる入力に対して、選局するチャンネルの昇順／降順である。例えば、チャンネルのアップにかかる入力に対して、選局するチャンネルを図２における右方向に切り替え、反対にチャンネルのダウンにかかる入力に対して、選局するチャンネルを図２における左方向に切り替える。このチャンネルレコード１１におけるチャンネルの並びは、使用者が自由に設定できる。また、チャンネルテーブル１０には、装置本体が初期モードであるときに使用するデフォルトのチャンネルレコード１１も登録されている。デフォルトのチャンネルレコード１１は、同期するＶＨＦのチャンネルが全て設定されている。
【００２６】
なお、ここではチャンネルテーブル１０に使用者毎にチャンネルレコード１１が登録されているとしたが、使用する曜日や時間帯等で区別して生成したチャンネルレコード１１を登録してもよい。
【００２７】
また、グルーピングチャンネル記憶部７には、以下に示す１〜６のグルーピング条件毎に、チャンネルが対応づけて記憶している。
１．同期していないチャンネルを含めた全てのチャンネル、
２．同期している全てのチャンネル、
３．同期していないチャンネルを含めたＶＨＦのチャンネル、
４．同期しているＶＨＦのチャンネル、
５．同期していないチャンネルを含めたＵＨＦのチャンネル、
６．同期しているＵＨＦのチャンネル
入力部８は、本体に設けられたキー操作による入力を受け付けるとともに、図示していないリモコン装置から送信されてきた制御信号を受信する受信部を有している。
【００２８】
なお、テーブル記憶部６、およびグルーピングチャンネル記憶部７は１つのメモリで構成してもよいし、２つのメモリで構成してもよい。
【００２９】
次に、この実施形態の受信装置の動作について説明する。図３は、この実施形態の受信装置の動作を示すフローチャートである。受信装置１は、本体の電源がオンされると、この処理を開始する。受信装置１は、本体を初期モードに設定する（ｓ１）。初期モードでは、チャンネルテーブル１０に記憶されているデフォルトのチャンネルレコード１１が使用される。デフォルトのチャンネルレコード１１は、上述したように同期するＶＨＦのチャンネルが全て設定されている。受信装置１は、本体を初期モードに設定すると、装置本体に対する入力を待つ（ｓ２）。
【００３０】
受信装置１は、本体に対する入力があると、この入力がチャンネルレコード１１の新規登録であれば、チャンネルレコード１１の新規登録処理を行う（ｓ３、ｓ４）。また、本体に対する入力が、チャンネルテーブル１０に登録されているチャンネルレコード１１の更新処理であれば、チャンネルレコード１１の更新処理を実行し（ｓ５、ｓ６）、モードの切り替え要求であれば、モードの切替処理を実行し（ｓ７、ｓ８）、チャンネルの切替要求であれば、チャンネル切替処理を実行し（ｓ９、ｓ１０）、電源オフの要求であれば、電源をオフして本処理を終了する（ｓ１１、ｓ１２）。
【００３１】
なお、受信装置１は、本体に対する入力が上記以外の入力であれば、例えばボリュームの変更であれば、この入力に応じた処理（その他の処理）を実行する（ｓ１３）。
【００３２】
図４は、ｓ４にかかるチャンネルレコードの新規登録処理を示すフローチャートである。受信装置１は、グルーピング条件の入力を待つ（ｓ２１）。ここで使用者は、これから作成するチャンネルレコードに応じてグルーピング条件を入力する。使用者は、上述した、
１．同期していないチャンネルを含めた全てのチャンネル、
２．同期している全てのチャンネル、
３．同期していないチャンネルを含めたＶＨＦのチャンネル、
４．同期しているＶＨＦのチャンネル、
５．同期していないチャンネルを含めたＵＨＦのチャンネル、
６．同期しているＵＨＦのチャンネル
の、６つのグルーピング条件から、適当なグルーピング条件を選択する入力を行う。例えば、同期しているＶＨＦの全チャンネルと、ＵＨＦの１〜３チャンネルと、を視聴できるように設定したい場合、グルーピング条件として、同期しているＶＨＦのチャンネルを選択する入力を行う。また、同期しているＵＨＦの全チャンネルと、ＶＨＦの１〜３チャンネルと、を視聴できるように設定したい場合、グルーピング条件として、同期しているＵＨＦのチャンネルを選択する入力を行う。
【００３３】
受信装置１は、グルーピング条件の入力があると、グルーピングチャンネル記憶部７に記憶している入力されたグルーピング条件に対応づけられているチャンネルを設定したチャンネルレコード１１を生成する（ｓ２２）。使用者は、ｓ２２で生成されたチャンネルレコード１１に対して、チャンネルの追加、削除、さらにはチャンネルレコード１１におけるチャンネルの並び替えが行える。
【００３４】
使用者は、チャンネルレコード１１にチャンネルを追加するとき、追加するチャンネル、チャンネルレコード１１におけるこの追加するチャンネルの挿入位置を受信装置１に入力する。受信装置１は、チャンネルレコード１１に対するチャンネルの追加にかかる入力があると、入力された追加するチャンネルを、指定されたチャンネルレコード１１の挿入位置に挿入する（ｓ２３、ｓ２４）。また、使用者は、チャンネルレコード１１に設定されているチャンネルを削除するとき、削除するチャンネルを受信装置１に入力する。受信装置１は、チャンネルレコード１１に設定されているチャンネルの削除にかかる入力があると、入力された削除するチャンネルを、チャンネルレコード１１から削除する（ｓ２５、ｓ２６）。さらに、使用者は、チャンネルレコード１１におけるチャンネルの並び替えを行うとき、移動するチャンネル、およびチャンネルレコード１１におけるチャンネルの移動位置を受信装置１に入力する。受信装置１は、チャンネルレコード１１に設定されているチャンネルの並び替えにかかる入力があると、入力された移動するチャンネルを、指定されたチャンネルテーブル１０の移動位置に移動する（ｓ２７、ｓ２８）。
【００３５】
受信装置１は、チャンネルレコード１１の設定完了が入力されるまで、ｓ２３〜ｓ２８の処理を繰り返す。受信装置１は、チャンネルレコード１１の設定完了が入力されると（ｓ２９）が入力されると、モード名、例えば使用者の名前、およびパスワードの入力を受け付ける（ｓ３０）。受信装置１は、入力されたモード名、およびパスワードをチャンネルレコード１１に設定し（ｓ３１）、このチャンネルレコード１１をチャンネルテーブル１０に登録して（ｓ３２）、本処理を終了する。
【００３６】
このように、使用者はチャンネルレコード１１を新規に作成するとき、グルーピング条件を入力することにより、所望のチャンネルが殆ど設定されたチャンネルレコード１１を得ることができ、追加、削除するチャンネルの総数を減少できる。これにより、チャンネルレコード１１が簡単に作成でき、使用者の操作性の向上が図れる。
【００３７】
また、チャンネルのアップダウンにかかる入力に対して、選局するチャンネルの昇順／降順を示すチャンネルアップダウン情報の更新も行えるので、チャンネルのアップダウンによる選局で、使用者が自分の好みにあった順番にチャンネルを切り替えることができ、使用者の利便性の向上が図れる。このチャンネルアップダウンによる操作時の動作についての詳細な説明については後述する。
【００３８】
また、受信装置１は、本体に対する入力がチャンネルテーブル１０に登録されているチャンネルテーブル１０の更新処理であれば、ｓ６で図５に示すチャンネルテーブル１０の更新処理を実行する。受信装置１は、チャンネルテーブル１０に登録されている更新するチャンネルレコード１１のモード名、およびパスワードの入力を受け付ける（ｓ４１）。受信装置１は、ｓ４１で入力されたチャンネルレコード１１に登録されているパスワードと、ｓ４１で入力されたパスワードが一致しているかどうかを判定する（ｓ４２）。ｓ４２でパスワードが一致していないと判定すると、本処理を終了する。反対に、ｓ４２でパスワードが一致していると判定すると、ｓ４１でモード名が入力されたチャンネルレコード１１についてチャンネルの追加、削除、さらにはチャンネルレコード１１におけるチャンネルの並び替えが行える。
【００３９】
使用者は、上述したチャンネルレコード１１の新規登録処理と同様に、ｓ４１で指定したチャンネルレコード１１にチャンネルを追加するとき、追加するチャンネル、チャンネルレコード１１におけるこの追加するチャンネルの挿入位置を受信装置１に入力する。受信装置１は、チャンネルレコード１１に対するチャンネルの追加にかかる入力があると、入力された追加するチャンネルを、指定されたチャンネルレコード１１の挿入位置に挿入する（ｓ４３、ｓ４４）。また、使用者は、チャンネルレコード１１に設定されているチャンネルを削除するとき、削除するチャンネルを受信装置１に入力する。受信装置１は、チャンネルレコード１１に設定されているチャンネルの削除にかかる入力があると、入力された削除するチャンネルを、チャンネルレコード１１から削除する（ｓ４５、ｓ４６）。さらに、使用者は、チャンネルレコード１１におけるチャンネルの並び替えを行うとき、移動するチャンネル、およびチャンネルテーブルにおけるチャンネルの移動位置を受信装置１に入力する。受信装置１は、チャンネルレコード１１に設定されているチャンネルの並び替えにかかる入力があると、入力された移動するチャンネルを、指定されたチャンネルテーブル１０の移動位置に移動する（ｓ４７、ｓ４８）。
【００４０】
受信装置１は、チャンネルレコード１１の設定完了が入力されるまで、ｓ４３〜ｓ４８の処理を繰り返す。受信装置１は、チャンネルレコード１１の設定完了が入力されると（ｓ４９）が入力されると、チャンネルテーブル１０に登録されているチャンネルレコード１１を今回変更されたチャンネルレコード１１に更新し（ｓ５０）、本処理を終了する。
【００４１】
このように、使用者はチャンネルテーブル１０に登録しているチャンネルレコード１１を必要に応じて更新することができる。また、チャンネルレコード１１を更新するときにパスワードの入力を必要にしているので、チャンネルレコード１１がパスワードを知らない他人に勝手に書き換えられるということもない。
【００４２】
また、受信装置１は、本体に対する入力がモード切替にかかる入力であれば、図６に示すモード切替処理を実行する。受信装置１は、チャンネルテーブル１０に登録されている更新するチャンネルレコード１１のモード名、およびパスワードの入力を受け付ける（ｓ６１）。受信装置１は、ｓ６１で入力されたチャンネルレコード１１に登録されているパスワードと、ｓ６１で入力されたパスワードが一致しているかどうかを判定する（ｓ６２）。ｓ６２でパスワードが一致していないと判定すると、本処理を終了する。反対に、ｓ６２でパスワードが一致していると判定すると、これ以降、使用するチャネルレコード１１をｓ６１でモード名が入力されたチャンネルレコード１１に更新し（ｓ６３）、本処理を終了する。
【００４３】
このように、チャンネルテーブル１０に登録されているデフォルト以外のチャンネルレコード１１については、使用するときにパスワードの入力を必要にしているので、チャンネルレコード１１がパスワードを知らない他人に勝手に使用されることもない。
【００４４】
また、受信装置１は、本体に対する入力がチャンネルの切替にかかる入力であれば、図７に示すチャンネル切替処理を実行する。受信装置１は、今回のチャンネルの切替にかかる入力が、チャンネルアップダウンにかかる入力であるか、ダイレクト選局にかかる入力であるかを判定する（ｓ７１）。受信装置１は、ｓ７１でチャンネルアップダウンにかかる入力であると判定すると、今回の入力がチャンネルアップにかかる入力であるか、チャンネルダウンにかかる入力であるかを判定する（ｓ７２）。受信装置１は、チャンネルアップにかかる入力であると判定すると、現在使用しているチャンネルレコード１１において、現在選局しているチャンネルの右隣に設定されているチャンネルに切り替える（ｓ７３）。反対に、受信装置１は、チャンネルダウンにかかる入力であると判定すると、現在使用しているチャンネルレコード１１において、現在選局しているチャンネルの左隣に設定されているチャンネルに切り替える（ｓ７４）。
【００４５】
このように、この実施形態の受信装置１は、チャンネルアップダウンにかかる入力があったとき、チャンネルレコード１１に設定されているチャンネルの並びに基づいて、チャンネルのアップ、またはダウンを行う。また、上述したように、チャンネルレコード１１に設定されているチャンネルの並びは、使用者が自由に変更できる。したがって、使用者は、チャンネルのアップダウンによる選局で、自分の好みにあった順番にチャンネルを切り替えることができる。
【００４６】
また、受信装置１は、ｓ７１でダイレクト選局にかかる入力であると判定すると、今回ダイレクト選局されたチャンネルが、現在使用しているチャンネルレコード１１に設定されているチャンネルであるかどうかを判定する（ｓ７５）。受信装置１は、ｓ７５で設定されていないチャンネルであると判定すると、チャンネルの切替を行うことなく本処理を終了する。一方、ｓ７５で設定されているチャンネルであると判定すると、今回ダイレクト選局されたチャンネルに切り替え（ｓ７６）、本処理を終了する。
【００４７】
このように、この実施形態の受信装置１は、使用者毎にチャンネルレコード１１をチャンネルテーブル１０に登録することができ、各使用者が自分の使い勝手に応じて使用できる。
【００４８】
なお、上記実施形態では、電源オン時には、使用するチャンネルレコード１１を、チャンネルテーブル１０に登録されているデフォルトのチャンネルレコード１１にするとしたが、使用者に使用するチャンネルレコード、およびパスワードを入力させて、使用するテーブルレコード１１を決定するようにしてもよい。
【００４９】
また、上記実施形態では、チャンネルレコード１１の更新やモード切替時にパスワードの入力を必要にしたが、このパスワードの入力を不要にしてもよい。このようにすれば、
各使用者がチャンネルテーブル１０に登録されているチャンネルレコード１１を必要に応じて使用できるようになる。言い換えれば、チャンネルテーブル１０に登録されているチャンネルレコード１１を、この受信装置１を使用する使用者全員で共有できる。この場合、上記実施形態で説明したデフォルトのチャンネルレコード１１をなくしても何ら問題がおきることはない。
【図面の簡単な説明】
【００５０】
【図１】この発明の実施形態である受信装置の構成を示すブロック図である。
【図２】使用者毎に視聴を許可するチャンネルを登録したチャンネルテーブルを示す図である。
【図３】チャンネルレコードの新規登録処理を示すフローチャートである。
【図４】ｓ４にかかるチャンネルレコードの新規登録処理を示すフローチャートである。
【図５】ｓ６にかかるチャンネルテーブル更新処理を示すフローチャートである。
【図６】ｓ８にかかるモード切替処理を示すフローチャートである。
【図７】ｓ１０にかかるチャンネル切替処理を示すフローチャートである。
【符号の説明】
【００５１】
１−受信装置
２−制御部
３−受信部
４−信号処理部
５−出力部
６−テーブル記憶部
７−グルーピングチャンネル記憶部
８−入力部
１０−チャンネルテーブル
１１−チャンネルレコード
【図１】
2006013934.tif 000003
【図２】
2006013934.tif 000004
【図３】
2006013934.tif 000005
【図４】
2006013934.tif 000006
【図５】
2006013934.tif 000007
【図６】
2006013934.tif 000008
【図７】
2006013934.tif 000009